(57)【要約】  本発明は、おむつカップ本体（１０１）が、身体との接触部分に超軟質高分子樹脂材によるクッション（１１３）を具備し、おむつカップ本体は蛇腹状のカバーを有するフロントカバー（１０３）を備え、屈曲自在にすることにより、身体との密着度を高めると同時におむつカップによって股間部が擦れて痣ができる等の問題がなくすと共に、病人等の様々な体型にも合わせることを可能にし、また、２本の洗浄送水ホース（１１６ａ）（１１６ｂ）、温風送風ホース（１１７）および汚物吸引ホース（１１８）を一括してホースユニット（１１９）とし、該ホースユニットをおむつカップ本体に対して着脱自在とした。また、おむつカップ本体の底面を二重構造にして、汚物をより弱い吸引力でも吸引を可能にし、二重底の窪み側面を利用した近赤外線および光センサによる大便感知センサ（１１０）により汚物が広範囲かつ確実に感知できるようにした排泄物処理装置である。【特許請求の範囲】
【請求項１】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、身体の腹部・股間部・臀部とおむつカップ本体（１０１）とが接するおむつカップ本体（１０１）部分に円柱または半円柱状または矩形状の超軟質高分子樹脂材の超軟質クッション（１１３）を具備したことを特徴とする排泄物処理装置。
【請求項２】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、硬質合成樹脂材によって形成されたあばら状樹脂（１０２a）の部分と軟質合成樹脂材によって形成された薄い皮膜（１０２b）で被覆された構造による屈曲自在な蛇腹状カバー（１０２）と、該蛇腹状カバー（１０２）の先端に設置したフロントカバー（１０３）を具備したことを特徴とする排泄物処理装置。
【請求項３】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体には２つの洗浄水送水口（１０５）、温風送風口（１０６）及び汚物吸引口（１０４）が形成されているが、これらに接続する洗浄送水ホース（１１６a）（１１６b）、温風送風ホース（１１７）及び汚物吸引ホース（１１８）は個々に接続するのではなく、該おむつカップ本体（１０１）に接続する部位をホースユニット（１１９）で一括支持すると共に、該ホースユニット（１１９）を該おむつカップ本体（１０１）に対して着脱自在に構成したことを特徴とする排泄物処理装置。
【請求項４】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その前面内側に局部乾燥のための温風を送風する温風吹出し口（１０９a）と様々な人に対応できるよう陰部用に陰部洗浄用ノズル（１０８a）、肛門用に肛門洗浄用ノズル（１０８）を具備していることを特徴とする排泄物処理装置。
【請求項５】
肛門用に２つの肛門洗浄用ノズル（１０８b）（１０８c）を具備する請求項４の排泄用処理装置。
【請求項６】
該おむつカップ本体（１０１）の洗浄水送水口（１０５）及び温風送風口（１０６）と局部洗浄用ノズル（１０８）及び温風吹出し口（１０９a）は、担体の中をくり貫いて形成した複数の通路のマニホールド（１１５）又は配管で繋がっていることを特徴とする請求項１〜５の何れか一に記載の排泄物処理装置。
【請求項７】
該おむつカップ本体（１０１）は、局部を洗浄する該洗浄水送水口（１０５a）には温水が、汚物を洗い流す該洗浄水送水口（１０５b）には消臭剤入りの水が流れ、これらは別々の２つの供給ポンプ（１３６）より供給されることを特徴とする請求項１〜６の何れか一に記載の排泄物処理装置。
【請求項８】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、身体の臀部が接する部分は湾曲しており、その中心部分がさらに奥に切れ込んだ形で二重湾曲（１２１）している排泄物処理装置。
【請求項９】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、その底面は方形状の窪み（１２２）が中央部に開いており、その窪み（下層部）（１２２）の中に排泄物が落ち込むという二重底構造を持っていることを特徴とする排泄物処理装置。
【請求項１０】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、カップ洗浄用ノズル（１０８d）を身体の臀部が接する部分の最後尾と、温風吹き出しノズル（１０９b）を最後尾の二重底の下層部（１２２）に具備したことを特徴とする排泄物処理装置。
【請求項１１】
カップ洗浄用ノズル（１０８d）（１０８e） （１０８f）を身体の臀部が接する部分の最後尾とその左右に計３箇所に具備する請求項１０の排泄物処理装置。
【請求項１２】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その底面が二重底構造になっており、方形状の窪みの底面を含む下部層（１２２）と汚物吸引口（１０４）が繋がっているという構造を持っていることを特徴とする排泄物処理装置。
【請求項１３】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その底面の２重底構造の方形状の窪みである下層部の一方の側面から他方の側面に近赤外線（１１０a）を水平に発光し、それをフォトICまたはフォトトランジスタ等の光センサ（１１０b）が受光する仕組みによる大便検知センサ（１１０）及び小便検知センサ（１１１）を具備することを特徴とする排泄物処理装置。
【請求項１４】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、該小便感知センサー（１１１）が該おむつカップ本体（１０１）の底面に、底面より僅かに高くなった部分に設置されていることを特徴とする排泄物処理装置。
【請求項１５】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、板状の合成樹脂材でできた腰板（１１４）を具備しており、その該腰板には通気道（１２３a）又は通気孔（１２３b）及び空気穴（１２４）を設け、臀部や腰部に温風が流れる構造となっていることを特徴とする排泄物処理装置。
【請求項１６】
該通気道（１２３a）又は通気孔（１２３b）及び該空気孔（１２４）を有する腰板（１１４）と臀部や腰部と接する間に通気性のある腰マット（１２８）を敷き、臀部や腰部に温風が流れる構造となっていることを特徴とする請求項１５の排泄物処理装置。
【請求項１７】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、おむつカップ本体（１０１）用のおむつカバー（１２５）は、前面にホース等を接続する該おむつカップ本体を包囲するため、該おむつカバー（１２５）の中央に楕円状の穴（１２６）が開いていることを特徴とする排泄物処理装置。
【請求項１８】
該おむつカップ本体（１０１）用の該おむつカバー（１２５）の中央の該楕円状の穴（１２６）の周辺部分と該おむつカップ本体（１０１）との接触部分には、双方に固着テープ（１１２b）を、また臀部にあたる部分に腰板入れ（１２７）及び腰マット入れ（１２９）を具備することを特徴とする請求項１７の排泄物処理装置。
【請求項１９】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、人体の足・腹・臀部と接触する部分に内部に高分子吸収材を挿入した水漏れ防止パッド（１３０）を粘着又は接着する構造を具備することを特徴とする排泄物処理装置。
【請求項２０】
人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）の２つの洗浄送水口、温風送風口、汚物吸引口及び大便センサ・小便センサから電気信号を導出するためのセンサジョイント（１０７）にそれぞれ接続された洗浄送水ホース（１１６a）（１１６b）、温風送風ホース（１１７）、汚物吸引ホース（１１８）及び電気ケーブルが接続される外部機器（１３１）は汚物タンク（１３２）、サイクロン装置（１３３）、サクションモーター（１３４）、温水洗浄水タンク（１３５）及び２つの給水ポンプ（１３６）を含む手段から構成されていることを特徴とする排泄物処理装置。
【請求項２１】
該外部機器（１３１）において、該汚物タンク（１３２）が汚物吸引口（１４０）及び該排気口（１３９）に臭いを遮断するストッパー（１３８）を具備していることを特徴とする請求項２０の排泄物処理装置。
【請求項２２】
該外部機器（１３１）において、該汚物タンク（１３２）の排気口（１３９）と該外部機器（１３１）の蓋（１４１）に設置された吸気口（１４２）とが該外部機器（１３１）の該蓋（１４１）を閉じたときに空気が漏れることなく完全にジョイントすると同時に該外部機器（１３１）の該蓋（１４１）の該吸気口（１４２）に設けられた支柱（１４３）により該ストッパー（１３８）が開き、空気が該汚物タンク（１３２）の該排気口（１３９）から該外部機器（１３１）の該蓋（１４１）の該吸気口（１４２）に流入する機能を担持することを特徴とする請求項２０又は２１の排泄物処理装置。
【請求項２３】
該外部機器（１３１）において、該汚物タンク（１３２）から吸引した湿った空気を該サイクロン装置（１３３）内の壁にぶつけることにより渦巻き流を起こし、空気中の水分を除去する機能を担持するサイクロン装置（１３３）を具備していることを特徴とする請求項２０又は２１の排泄物処理装置。
【請求項２４】
該外部機器（１３１）において、該おむつカップ（１０１）にホースを通じて送り込む温風は、サクションモーター（１３４）からの排気またはファン（１４４）からのヒーター（１４５）で一定の温度に暖められた温風を、一方から入った温風だけを通すように自由に回転する機能を担持するセレクター（１４６）を具備するエアーセレクター（１４７）によって、交互に送り込むことが可能である請求項２０又は２１の排泄物処理装置。
【請求項２５】
該外部機器（１３１）は情報伝達手段及び/又は端末と接続することにより、インターネット及び/又は電子機器に繋げることが可能であり、これによって監視手段を接続して要介護者の動画及び/又は静止画像及び/又は音声/又は外部機器（１３１）を情報伝達手段（携帯電話及び/又はインターネット）上の電子機器に電送することが可能である請求項１〜２４の何れか一に記載の排泄物処理装置。
【請求項２６】
該外部機器（１３１）の運転状況を情報伝達手段によって電子機器に伝送することが可能である請求項２５の排泄物処理装置。
【請求項２７】
該外部機器（１３１）により要介護者の身体状況の情報を収集するとともに、要介護者の身体状況の情報を情報伝達手段によって電子機器に伝送することを特徴とする請求項２５又は２６の排泄物処理装置。
【請求項２８】
該外部機器（１３１）において、該汚物タンク（１３２）及び温水洗浄水タンク（１３５）を分離または大型化することにより、該外部機器（１３１）１台で数人の要介護者の汚物を処理することを可能とする請求項２０〜２７の何れか一に記載の排泄物処理装置。
【発明の詳細な説明】
【技術分野】
【０００１】
この発明は、寝たきり等重度の要介護者または歩行不能な病人の介護用補助具に関し、重度の要介護者等が寝たままの状態で排泄した場合、自動的に排泄物を処理し、汚れた局部を自動的に洗浄し、かつ乾燥する排泄物処理装置に関する。
【背景技術】
【０００２】
従来からこの種の排泄物処理装置としては、例えば特許文献１に示したものがある。この従来技術では、硬質合成樹脂材によって人体の腰臀部を包囲するとともに、おむつカップ内に排泄した汚物を洗浄水で洗浄し、ポンプによって汚物をおむつカップ外に排出する構造になっていた。そしておむつカップには洗浄水送水ポンプや汚物吸引ホースといった各種ホースやおむつカップ内の汚れを検出するセンサのコードを一括して着脱するものであった。
【特許文献１】特開平０７−１５５４０７号公報
【発明の開示】
【発明が解決しようとする課題】
【０００３】
しかしながら、上記した従来技術の排泄物処理装置では、硬質合成樹脂材を採用しているため様々な体型に合わせることが困難であり、身体との密着性が悪くおむつカップの周囲から洗浄水や汚物が漏れ出すため、おむつカップの内側に数多くのホックをつけ、そのホックにおむつカバーをホック留めしなければならず、おむつカバーをセットするのが非常に煩雑であった。またおむつカップが硬質のため股間部が擦れ、痣ができるという身体に対する問題があった。さらに大便感知の件についても身体を傾けた場合、感知ができないこと、汚物を吸引するためにおむつカップ全体を吸引しなければならない構造のため、比較的大容量のサクションモーターを使用しなければならず、排泄物処理装置本体内のサクションモーターの音が大きくなること等の問題があった。この発明は、上記した課題を解決するものであり、様々な体型にフィットさせることが簡単であり、汚物を吸引するためのモーターもより弱い吸引力でも吸引が可能となる排泄物処理装置を提供することを目的としたものである。
【課題を解決するための手段】
【０００４】
上記課題を解決するために本発明は以下のような手段を導入した。
１．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、身体の腹部・股間部・臀部とおむつカップ本体（１０１）とが接するおむつカップ本体（１０１）部分に円柱または半円柱状または矩形状の超軟質高分子樹脂材の超軟質クッション（１１３）を具備したことを特徴とする排泄物処理装置。
２．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、硬質合成樹脂材によって形成されたあばら状樹脂（１０２a）の部分と軟質合成樹脂材によって形成された薄い皮膜（１０２b）で被覆された構造による屈曲自在な蛇腹状カバー（１０２）と、該蛇腹状カバー（１０２）の先端に設置したフロントカバー（１０３）を具備したことを特徴とする排泄物処理装置。
３．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体には２つの洗浄水送水口（１０５）、温風送風口（１０６）及び汚物吸引口（１０４）が形成されているが、これらに接続する洗浄送水ホース（１１６a）（１１６b）、温風送風ホース（１１７）及び汚物吸引ホース（１１８）は個々に接続するのではなく、該おむつカップ本体（１０１）に接続する部位をホースユニット（１１９）で一括支持すると共に、該ホースユニット（１１９）を該おむつカップ本体（１０１）に対して着脱自在に構成したことを特徴とする排泄物処理装置。
４．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その前面内側に局部乾燥のための温風を送風する温風吹出し口（１０９a）と様々な人に対応できるよう陰部用に陰部洗浄用ノズル（１０８a）、肛門用に肛門洗浄用ノズル（１０８）を具備していることを特徴とする排泄物処理装置。
５．肛門用に２つの肛門洗浄用ノズル（１０８b）（１０８c）を具備する前項４の排泄用処理装置。
６．該おむつカップ本体（１０１）の洗浄水送水口（１０５）及び温風送風口（１０６）と局部洗浄用ノズル（１０８）及び温風吹出し口（１０９a）は、担体の中をくり貫いて形成した複数の通路のマニホールド（１１５）又は配管で繋がっていることを特徴とする前項１〜５の何れか一に記載の排泄物処理装置。
７．該おむつカップ本体（１０１）は、局部を洗浄する該洗浄水送水口（１０５a）には温水が、汚物を洗い流す該洗浄水送水口（１０５b）には消臭剤入りの水が流れ、これらは別々の２つの供給ポンプ（１３６）より供給されることを特徴とする前項１〜６の何れか一に記載の排泄物処理装置。
８．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、身体の臀部が接する部分は湾曲しており、その中心部分がさらに奥に切れ込んだ形で二重湾曲（１２１）している排泄物処理装置。
９．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、その底面は方形状の窪み（１２２）が中央部に開いており、その窪み（下層部）（１２２）の中に排泄物が落ち込むという二重底構造を持っていることを特徴とする排泄物処理装置。
１０．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、カップ洗浄用ノズル（１０８d）を身体の臀部が接する部分の最後尾と、温風吹き出しノズル（１０９b）を最後尾の二重底の下層部（１２２）に具備したことを特徴とする排泄物処理装置。
１１．カップ洗浄用ノズル（１０８d）（１０８e） （１０８f）を身体の臀部が接する部分の最後尾とその左右に計３箇所に具備する前項１０の排泄物処理装置。
１２．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その底面が二重底構造になっており、方形状の窪みの底面を含む下部層（１２２）と汚物吸引口（１０４）が繋がっているという構造を持っていることを特徴とする排泄物処理装置。
１３．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、該おむつカップ本体（１０１）は、その底面の２重底構造の方形状の窪みである下層部の一方の側面から他方の側面に近赤外線（１１０a）を水平に発光し、それをフォトICまたはフォトトランジスタ等の光センサ（１１０b）が受光する仕組みによる大便検知センサ（１１０）及び小便検知センサ（１１１）を具備することを特徴とする排泄物処理装置。
１４．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、該小便感知センサー（１１１）が該おむつカップ本体（１０１）の底面に、底面より僅かに高くなった部分に設置されていることを特徴とする排泄物処理装置。
１５．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、板状の合成樹脂材でできた腰板（１１４）を具備しており、その該腰板には通気道（１２３a）又は通気孔（１２３b）及び空気穴（１２４）を設け、臀部や腰部に温風が流れる構造となっていることを特徴とする排泄物処理装置。
１６．該通気道（１２３a）又は通気孔（１２３b）及び該空気孔（１２４）を有する腰板（１１４）と臀部や腰部と接する間に通気性のある腰マット（１２８）を敷き、臀部や腰部に温風が流れる構造となっていることを特徴とする前項１５の排泄物処理装置。
１７．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置において、おむつカップ本体（１０１）用のおむつカバー（１２５）は、前面にホース等を接続する該おむつカップ本体を包囲するため、該おむつカバー（１２５）の中央に楕円状の穴（１２６）が開いていることを特徴とする排泄物処理装置。
１８．該おむつカップ本体（１０１）用の該おむつカバー（１２５）の中央の該楕円状の穴（１２６）の周辺部分と該おむつカップ本体（１０１）との接触部分には、双方に固着テープ（１１２b）を、また臀部にあたる部分に腰板入れ（１２７）及び腰マット入れ（１２９）を具備することを特徴とする前項１７の排泄物処理装置。
１９．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）は、人体の足・腹・臀部と接触する部分に内部に高分子吸収材を挿入した水漏れ防止パッド（１３０）を粘着又は接着する構造を具備することを特徴とする排泄物処理装置。
２０．人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚水を吸引する汚物吸引口（１０４）とを備えた排泄物処理装置において、該おむつカップ本体（１０１）の２つの洗浄送水口、温風送風口、汚物吸引口及び大便センサ・小便センサから電気信号を導出するためのセンサジョイント（１０７）にそれぞれ接続された洗浄送水ホース（１１６a）（１１６b）、温風送風ホース（１１７）、汚物吸引ホース（１１８）及び電気ケーブルが接続される外部機器（１３１）は汚物タンク（１３２）、サイクロン装置（１３３）、サクションモーター（１３４）、温水洗浄水タンク（１３５）及び２つの給水ポンプ（１３６）を含む手段から構成されていることを特徴とする排泄物処理装置。
２１．該外部機器（１３１）において、該汚物タンク（１３２）が汚物吸引口（１４０）及び該排気口（１３９）に臭いを遮断するストッパー（１３８）を具備していることを特徴とする前項２０の排泄物処理装置。
２２．該外部機器（１３１）において、該汚物タンク（１３２）の排気口（１３９）と該外部機器（１３１）の蓋（１４１）に設置された吸気口（１４２）とが該外部機器（１３１）の該蓋（１４１）を閉じたときに空気が漏れることなく完全にジョイントすると同時に該外部機器（１３１）の該蓋（１４１）の該吸気口（１４２）に設けられた支柱（１４３）により該ストッパー（１３８）が開き、空気が該汚物タンク（１３２）の該排気口（１３９）から該外部機器（１３１）の該蓋（１４１）の該吸気口（１４２）に流入する機能を担持することを特徴とする前項２０又は２１の排泄物処理装置。
２３．該外部機器（１３１）において、該汚物タンク（１３２）から吸引した湿った空気を該サイクロン装置（１３３）内の壁にぶつけることにより渦巻き流を起こし、空気中の水分を除去する機能を担持するサイクロン装置（１３３）を具備していることを特徴とする前項２０又は２１の排泄物処理装置。
２４．該外部機器（１３１）において、該おむつカップ（１０１）にホースを通じて送り込む温風は、サクションモーター（１３４）からの排気またはファン（１４４）からのヒーター（１４５）で一定の温度に暖められた温風を、一方から入った温風だけを通すように自由に回転する機能を担持するセレクター（１４６）を具備するエアーセレクター（１４７）によって、交互に送り込むことが可能である前項２０又は２１の排泄物処理装置。
２５．該外部機器（１３１）は情報伝達手段及び/又は端末と接続することにより、インターネット及び/又は電子機器に繋げることが可能であり、これによって監視手段を接続して要介護者の動画及び/又は静止画像及び/又は音声/又は外部機器（１３１）を情報伝達手段（携帯電話及び/又はインターネット）上の電子機器に電送することが可能である前項１〜２４の何れか一に記載の排泄物処理装置。
２６．該外部機器（１３１）の運転状況を情報伝達手段によって電子機器に伝送することが可能である前項２５の排泄物処理装置。
２７．該外部機器（１３１）により要介護者の身体状況の情報を収集するとともに、要介護者の身体状況の情報を情報伝達手段によって電子機器に伝送することを特徴とする前項２５又は２６の排泄物処理装置。
２８．該外部機器（１３１）において、該汚物タンク（１３２）及び温水洗浄水タンク（１３５）を分離または大型化することにより、該外部機器（１３１）１台で数人の要介護者の汚物を処理することを可能とする前項２０〜２７の何れか一に記載の排泄物処理装置。
【発明の効果】
【０００５】
本願発明によって、おむつカップ本体が、身体との接触部分に超軟質高分子樹脂材によるクッションを具備しているので、身体との密着度は飛躍的に高まると同時におむつカップによって股間部が擦れて痣ができる等の問題が解決した。また、おむつカップ本体は蛇腹状のカバーを有するフロントカバーを備えており、屈曲自在なこともあって病人等の様々な体型にも合わせることが可能となっている。そのうえ蛇腹状のカバーは非常に簡易に合成樹脂成形でき、コスト的にも安価である。また2本の洗浄送水ホース、温水送風ホース及び汚物吸引ホースを一括してホースユニットとし、該ホースユニットをおむつカップ本体に対して着脱自在とした。該洗浄送水ホースは2本あり、そのうち1本は局部洗浄用ホースで局部洗浄用ノズルに、もう1本はカップ洗浄用ホースでカップ洗浄用ノズルに繋がっている。該カップ洗浄用ホースには消臭剤入りの水が流れており、排泄物を洗い流す時点で消臭できるため、従来は機外で消臭フィルター等によって消臭処理をしており、完全に消臭することが難しかったが、その必要がなく簡易で完全な消臭処理対策となっている。局部を中心とした乾燥についても前面から直接局部に向けて温風を吹出しており、より確実に臀部全体を乾燥することが可能となっている。また臀部から腰部にかけて腰板から定期的に温風を出す構造となっており、通気性のマットと相俟って肌の乾燥を保つことにより病人等の床ずれを防止している。また該おむつカップ本体の底面が二重構造になっていることにより、汚物をより弱い吸引力でも吸引が可能でより小さな出力のサクションモーターでもよく、モーター音を抑えることができる。また、従来方式の大便感知センサでは身体を傾けたりすると、排泄物が大便感知センサの上に乗らないケースが多くうまく感知できなかったが、おむつカップ本体の二重底の窪み側面を利用した近赤外線及び光センサによる大便感知センサにより汚物が広範囲かつ確実に感知できるようになった。
【図面の簡単な説明】
【０００６】
【図１−１】本願発明の実施例に係るおむつカップ本体を示した側面図である。
【図１−２】小便感知センサー部の斜視図。
【図２−１】本願発明の実施例に係るおむつカップ本体を示した斜視図である。
【図２−２】カップ本体に水漏れ防止パッドをつけた図である。
【図３】図１に示す蛇腹カバー及びフロントカバー図の裏面図である。
【図４】本願発明の実施例に係るおむつカップ本体の前面部及びホースユニットを示した側面図である。
【図５−１】本願発明の実施例に係るおむつカップ本体及び腰板を示した上面図である。
【図５−２】腰板には通気道を設け、臀部や腰部に温風が流れる構造となっていることを示す図である。
【図６】本願発明の実施例に係るおむつカバーを示した側面図である。
【図７】おむつカップ本体と外部機器との関係を示す図である。
【図８−１】汚物タンクの構造を示す図である。
【図８−２】ストッパーの構造を示す図である。
【図９】サイクロンを示す図である。
【図１０】エアーセレクターを示す図である。
【符号の説明】
【０００７】
１０１：おむつカップ本体
１０２：蛇腹カバー
１０２a：あばら状樹脂
１０２b：皮膜
１０３：フロントカバー
１０４：汚物吸引口
１０５：洗浄水送水口
１０５a：洗浄水送水口（局部洗浄用）
１０５b：洗浄水送水口（汚物洗浄用）
１０６：温風送風口
１０７：センサジョイント
１０８a：陰部洗浄用ノズル
１０８b：肛門洗浄用ノズル
１０８c：肛門洗浄用ノズル
１０８d：カップ洗浄用ノズル
１０８e：カップ洗浄用ノズル
１０８f：カップ洗浄用ノズル
１０９a：温風吹出し口
１０９b：温風吹出し口
１１０：大便感知センサ
１１０a：近赤外線LED
１１０b：光センサ
１１１：小便感知センサ
１１２a：マジックテープ（登録商標）
１１２b：マジックテープ（登録商標）
１１３：超軟質クッション
１１４：腰板
１１５：マニホールド
１１６a：洗浄水送水ホース（局部洗浄用）
１１６b：洗浄水送水ホース（カップ洗浄用）
１１７：温風送風ホース
１１８：汚物吸引ホース
１１９：ホースユニット
１２０a：留め具（オス）
１２０b：留め具（メス）
１２１：二重湾曲
１２２：二重底の窪み部（底面下層部）
１２２ａ：底面上層部
１２３ａ：通気道
１２３ｂ：通気孔
１２４：空気穴
１２５：おむつカバー
１２６：楕円状の穴
１２７：腰板入れ
１２８：腰マット
１２９：腰マット入れ
１３０：水漏れ防止パッド
１３１：外部機器
１３２：汚物タンク
１３３：サイクロン装置
１３４：サンクションモーター
１３５：温水洗浄タンク
１３６：給水ポンプ
１３７：シーケンサ
１３８：ストッパー
１３９：排気口
１４０：汚物吸引口
１４１：蓋
１４２：吸気口
１４３：支柱
１４４：ファン
１４５：ヒーター
１４６：セレクター
１４７：エアセレクター
【発明を実施するための最良の形態】
【０００８】
本発明は、人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置を基本構造とし、身体の行動が不十分な人の糞便、糞尿の自動排泄用のおむつ装置である。【０００９】
本願発明の特徴の一は、身体の腹部・股間部・臀部とおむつカップ本体とが接する部分に円柱または半円柱状または矩形状の超軟質高分子樹脂材のクッションを装着することである。このことにより、該おむつカップ本体と身体の腹部・股間部・臀部が密着することが可能となり、おむつカップの周囲から洗浄水や汚物が漏れ出すという問題が解決されると同時に股間の部分も超軟質高分子樹脂材のクッションにより硬質合成樹脂材の該おむつカップと直接触れることがないため、肌にも優しくかつ痣ができにくくなるという超軟質高分子樹脂材のクッションを具備する該おむつカップ本体を特徴とする排泄物処理装置を提供する。本発明で使用できる超軟質高分子樹脂とは、例えばＪＩＳＫ６２５３による硬さの度合いが３０〜５０、より好ましくは３５〜４５、さらに好ましくは約４０の高発泡の超軟質高分子樹脂であり、例えば、ポリエチレン、エチレン−酢酸ビニル共重合体、ポリ塩化ビニル、ポリプロピレン、ポリウレタン、スチレン−ブタジエン共重合体、ブタジエン−アクリロニトリル共重合体、ブチルゴム、クロロプレンゴムなどの軟質高分子樹脂もしくはこれらのブレンドしたものが好ましく用いられる。特にスチレン系エラストマーが好適である。また必要に応じて炭酸カルシウム、タルク、クレー、マイカ、シラスバルーン、ガラス繊維などの無機充填材、難燃材、粉末ゴム等を含むこともできる。その厚みは特に限定されるものではないが、平均厚みが数ｍｍ以上、一般的には４〜１０ｍｍ、好ましくは４〜７ｍｍ程度に形成されることがよい。【００１０】
本願発明の特徴の一は、該おむつカップ本体が、煩雑な組み立てを要する複数の湾曲した連結片を連設し防水布で被覆したような公知の蛇腹ジョイントではなく、硬質の合成樹脂材からなるあばら状の部分と薄い皮膜状の合成樹脂材によって皮膜された構造をもつ。この構造は非常に成形が簡易で屈曲自在な蛇腹状カバーを提供する。この蛇バラ状カバーの先端には、フロントカバーが設置される。本発明の屈曲自在な蛇腹状カバーで使用できる硬質質高分子樹脂とは、例えば、ポリエチレン、エチレン−酢酸ビニル共重合体、ポリ塩化ビニル、ポリプロピレン、ポリウレタン、スチレン−ブタジエン共重合体、ブタジエン−アクリロニトリル共重合体、ブチルゴム、クロロプレンゴムなどの高分子樹脂もしくはこれらのブレンドしたものが好ましく用いられる。特に好ましくはポリ塩化ビニルである。その厚みは特に限定されるものではないが、平均厚みが数ｍｍ以上、一般的には４〜１０ｍｍ、好ましくは４〜７ｍｍ程度に形成されることがよい。この硬質合成樹脂材の部分は、おむつカップの折り曲げ部の骨組み（アバラ状）機能を果たす。屈曲自在な蛇腹状カバー部は、この骨組部との組み合わせで薄い皮膜状の合成樹脂材を使いこの薄い皮膜状の合成樹脂材の弾性を利用しておむつカップの折り曲げにより、おむつカップ本体によって身体の腹部・股間部・臀部を包み込むことが可能となる。この薄い皮膜状の合成樹脂材は、例えば、ポリエチレン、エチレン−酢酸ビニル共重合体、ポリ塩化ビニル、ポリプロピレン、ポリウレタン、スチレン−ブタジエン共重合体、ブタジエン−アクリロニトリル共重合体、ブチルゴム、クロロプレンゴムなどの高分子樹脂もしくはこれらのブレンドしたものが好ましく用いられる。特に好ましくはポリ塩化ビニルである。その厚みは特に限定されるものではないが、平均厚みが一般的には１〜５ｍｍ、好ましくは１〜３ｍｍ程度に形成されることがよい。屈曲自在な蛇腹状カバー部は、カップ本体の折り曲げ部の５〜２５ｃｍにおいて使用されアバラ部は蛇腹状カバー部の横方向に約４〜８個、アバラ部同士の間隔は１〜４ｃｍ、アバラ部自体の太さは、３〜１０ｍｍ程度である。薄い皮膜状の合成樹脂材は、伸び曲げ可能であり、引き伸ばし、折り曲げ可能であって、アバラ状部との組み合わせで、おむつカップの折り曲げが達成される。なお、この蛇腹状カバー部は薄い部分と太い部分を交互に一体成型し、蛇腹状形態を調製してもよい。さらに、蛇腹状部とフロントカバー部は、別々に調製し、その後に融着させてもいし、或いは型にはめて一体成型で、蛇腹状カバー部とフロントカバー部を調製してもよい。【００１１】
本願発明の特徴の一は、おむつカップ本体には２つの洗浄水送水口、温風送風口及び汚物吸引口が形成されているが、これらに接続する洗浄送水ホース、温風送風ホース及び汚物吸引ホースは個々に接続するのではなく、該おむつカップ本体に接続する部位をホースユニットで一括支持すると共に、該ホースユニットを該おむつカップ本体に対して着脱自在に構成したことである。
本願発明は、該おむつカップ本体には２つの洗浄水送水口、温風送風口及び汚物吸引口が形成されている他、該おむつカップ本体はその本体に設けた大便・小便感知センサに電気的に接続されたコネクタを具備している。これらは２つの洗浄送水ホース、温風送風ホース、汚物吸引ホース及び電気ケーブルと繋がっているコネクタと接続する必要があるが、他のホースと一括して接続するとトラブルが起き易いコネクタは単独にしておくことが好ましい。そのため、前記２つの洗浄送水ホース、温風送風ホース及び汚物吸引ホースは、該おむつカップ本体に接続する部位をホースユニットで一括支持すると共に、該ホースユニットを該おむつカップ本体に対して着脱自在に構成したものである。着脱自在とは、ホースユニットとおむつカップ本体が雄雌関係構造を有し、用時装着及び脱着が達成でき、しかも装着時には機密性が担保されていることを意味する。【００１２】
本発明の特徴の一は、該おむつカップ本体が、その前面内側に局部乾燥のための温風を送風する温風吹出し口と様々な人に対応できるよう陰部用に陰部洗浄用ノズル、肛門用に肛門洗浄用ノズルを具備していることである。そして、肛門用には、好ましくは、２つの肛門洗浄用ノズルを具備する。好ましくは、該局部洗浄ノズルは、おむつカップ本体の前面内側に、様々な人に対応できるよう陰部用に１つ、肛門用に２つ具備している。またおむつカップ本体の前面内側には、局部全体を乾燥させるために温風を送風する温風送風口からつながる温風吹き出し口を配設し、該温風吹き出し口は排尿が入らないよう多孔で斜め下向きに形成されている。【００１３】
本発明のおむつカップ本体は、その前面に局部を洗浄する洗浄水送水口と汚物を洗い流す洗浄水送水口の２つの送水口及び温風送風口を設けてある。局部を洗浄する該洗浄水送水口及び該温風送風口の１部は、該おむつカップ本体内部の３つの局部洗浄用ノズル及び温風吹出しノズルと連結し、汚物を洗い流す該洗浄水送水口及び該温風送風口の１部は、下方のパイプに連結させて、該おむつカップ本体の後方の汚物洗浄用ノズル及び温風吹出しノズルに繋がっているが、それぞれ該洗浄送水口及び該温風送風口から該局部洗浄用ノズル及び該温風吹出しノズルに連結するためには、カバーにして内部の空間を利用して配管にてそれぞれを連結する必要がある。カバー内の空間に汚水が入り込む可能性があり、これを避けるため、該おむつカップ本体の前面部分はカバー内の空間を利用した配管ではなく、担体例えば合成樹脂材の中をくり貫いて形成した複数の通路のマニホールドで繋がっていることはより好ましい。【００１４】
本発明のおむつカップ本体は、その前面に局部を洗浄する該洗浄水送水口と汚物を洗い流す該洗浄水送水口の２つの送水口を具備するが、それぞれ別々の給水ポンプ（１３６）から局部を洗浄する該洗浄水送水口には温水が、汚物を洗い流す該洗浄水送水口には消臭剤入りの水が流れることが好ましい。その他所望により、各種医薬品、殺菌消毒剤を添加することは可能である。【００１５】
本発明の特徴の一は、該おむつカップ本体は、身体の臀部が接する部分は湾曲しており、その中心部分がさらに奥に切れ込んだ形で二重湾曲している。この奥の切れ込みは、約５〜１３ｃｍの幅から湾曲型を描く。これにより個人の体格差に対応するとともに臀部の割れ目から洗浄水等が背中に漏れることを防ぐ。
また、本発明の特徴の一は、該おむつカップ本体の底面は楕円形の上層部の中央部に前後長方向に方形状の窪み部分を有しており、その窪みの中に排泄物が落ち込むという二重底構造（２段構造）を持っている。この窪みは、上からみると前記奥に切れ込んだ２重湾曲部を含む方形で他方は汚物吸引口につながる。そしてこの窪みは、断面からみると、好ましくは半円又は半楕円形である。このことにより汚物洗浄がより便宜である。本発明で二重底構造を持つ部分は、おむつカップ本体の底と呼ぶ部分であり、人体が直接接触する上層部と汚物があつまる方形状の窪み部である下層部からなる。上層部の形状は上からみると、楕円形状であるが、でん部の形状を考慮し、自在に変更可能である。【００１６】
本発明の特徴の一は、該おむつカップ本体は、汚物を洗い流すカップ洗浄用ノズルを身体の臀部が接する部分の最後尾及びその左右に計３箇所と、温風吹き出しノズルを身体の臀部が接する部分の最後尾の該二重底（２段構造）の下層部分に具備し、排泄物をより確実かつ強力に洗い流すことを可能とする。カップ洗浄用ノズルの一は、最後尾の該二重底の下層部分に具備していてもよい。【００１７】
本発明の特徴の一は、該おむつカップ本体は、その底面が二重底構造（２段構造）になっており、方形状窪みの底面を含む下部層と汚物吸引口が繋がっている。このことにより、よりパワーの劣るサクションモーターでも効率よく排泄物を吸引できるという構造を持っている。【００１８】
本発明の特徴の一は、該おむつカップ本体の大便感知センサは、従来のように排泄物がセンサの上に乗らないと感知できない方式ではなく、該二重底構造の窪み部（下部層）側面の一方から他方の側面に近赤外線LEDを平行に発光し、それをフォトICまたはフォトトランジスタ等の光センサが受光する仕組みに構成した。その結果、大便感知センサはより広範囲かつ確実に感知可能とした。【００１９】
本発明の特徴の一は、従来の小便感知センサの場合は、該おむつカップ本体の底面に設置していたため、排出し切れなかった水分を感知してしまうという誤作動するケースが多かったが、該おむつカップ本体の該小便感知センサは、該おむつカップ本体の底面より若干高いところに設置してあることにより、排出し切れなかった水分で誤作動しない仕組みにした。【００２０】
本発明のおむつカップ本体は、身体の臀部から腰部にかけての部分が、板状の合成樹脂材でできた腰板を具備する。そして、その該腰板には通気道または通気孔を設け、該通気孔の上部には空気穴があけてある。このように、臀部や腰部に温風が流れる構造になっている。さらに、臀部や腰部と該腰板との間には、通気性のある腰マットを敷くことも可能であり、これによりより確実に床ずれを防止することを可能とする。【００２１】
本発明のおむつカップ本体は、おむつカップ専用のおむつカバーによって身体にしっかり包囲される。該おむつカップ専用の該おむつカバーは、該おむつカップ本体の前面が該ホースユニット等と接続する必要があるため、該おむつカバーの中央に楕円状の穴が開いていること、さらに該腰板を入れる腰板入れ及び腰マットを入れる腰マット入れを具備する。さらに該おむつカップ専用の該おむつカバーの中央の楕円状の穴の周辺部分と該おむつカップ本体との接触部分にマジックテープ（登録商標）のような固定テープを双方に具備しており、それらを留めることにより該おむつカップ本体をしっかり包囲し、固定するとともに、洗浄水等の横漏れを防止する。【００２２】
本発明のおむつカップ本体は、人体の足・腹・臀部と接触する該おむつカップ本体部分に紙おむつのような内部に高分子吸収材を挿入したパッドに粘着材を塗布し粘着させるかまたは該おむつカップ本体側に接着する構造を具備することが可能である。【００２３】
本発明の特徴の一は、該おむつカップ本体が２つの洗浄水ホース、温風送風ホース、汚物吸引ホース及び電気ケーブルにより接続している外部機器が、少なくとも汚物タンク、サイクロン装置、サクションモーター、温水洗浄タンク及び２つの給水ポンプを含む手段で構成されており、該汚物タンクからの排気、該サイクロン装置の設置等に独自性を持つ。【００２４】
本発明の特徴の一は、該外部機器の蓋に吸気口を設置し、該蓋を閉じるという簡単な手段により、該蓋の吸気口と該汚物タンクの排気口とが機密性を保ちながらジョイントが可能となることにある。さらに該蓋の吸気口に設けた支柱が蓋を閉じることにより、臭いを遮断するストッパーを押し開け、空気の流れる空間を作ることにある。これは、該外部機器において、該外部機器より日常的に着脱する必要のある該汚物タンクから排気するために、排気口を該外部機器に機密性を保ちながらジョイントする必要があるからである。【００２５】
本発明の特徴の一は、該外部機器において、該汚物タンクと該サクションモーターとの間にサイクロン装置を設置し、該汚物タンクから吸引された湿った空気を該サイクロン装置の吸入口から中に入れ、湿った空気を該サイクロン装置の壁にぶつけることにより該サイクロン装置内に渦流を発生させる。これにより湿った重い空気は回転しながら下に下がって行き、その過程で水分が除去される。軽くなった乾いた空気は該サイクロン装置の排出口から排出され、この空気がサクションモーターに吸引されることになる。【００２６】
本発明の特徴の一は、該外部機器において、該おむつカップにホースを通じて送り込む温風は、サクションモーターによって暖められた排気またはファンからヒーターで一定の温度にコントロールされた温風であり、それらはサクションモーターからの排気またはファンからの温風を、一方から入った温風だけを通すよう自由に回転して一方の入り口を塞ぐよう工夫されたセレクターを具備するエアーセレクターにより交互にホースを通って該おむつカップに送られることになる。【００２７】
本発明の特徴の一は、該外部機器がLANケーブル、電話回線及び/又はUSB（情報伝達手段及び/又は端末）などと接続することにより、インターネット及び/又は電子機器に繋げることが可能となっている。これによりWebカメラ、LANカメラ、マイクロフォンなどの監視手段を通じて要介護者の動画及び/又は静止画及び/又は音声を遠く離れたところにある携帯電話及び/又はインターネット上の電子機器に情報伝達手段で伝送し、知らせることができると同時に、これらの手段により相互に会話も可能となる。【００２８】
本発明の特徴の一は、該外部機器がLANケーブル、電話回線及び/又はUSB（情報伝達手段及び/又は端末）などと接続することにより、インターネット及び/又は電子機器に繋げることが可能となっている。これにより該外部機器の運転状況を遠く離れたところにある携帯電話及び/又はインターネット上の電子機器に情報伝達手段で伝送し、知らせるとともに、携帯電話及び/又は該インターネット上の電子機器より該外部機器をコントロールすることができる。さらに、これらにより介護施設及び/又は病院の管理センターにおいて施設内の各該外部機器の集中管理が可能となる。【００２９】
本発明の特徴の一は、該外部機器がLANケーブル、電話回線及び/又はUSB（情報伝達手段及び/又は端末）などと接続することにより、インターネット及び/又は該電子機器に繋げることが可能となっている。要介護者の下に敷いた身体の生体状況を読み取ることが可能なマットからLANケーブル、電話回線及び/又はUSBなどと接続している該外部機器を経由して、要介護者の身体状況を遠く離れたところにある携帯電話及び/又はインターネット上の電子機器に情報伝達手段で伝送し、知らせることができる。【００３０】
本発明の特徴の一は、該外部機器において該汚物タンク及び該温水洗浄タンクを分離または大型化することにより、該外部機器１台で数人の要介護者の汚物を処理することが可能となり、介護施設及び/又は病院などで多くの要介護者及び患者の汚物を効率的に処理することができる。
【実施例】
【００３１】
以下、本願発明に係る実施例を、図面に基づいて説明する。【００３２】
本願発明のおむつカップ本体について説明する。図１はおむつカップ本体（１０１）を含む排泄物処理装置を示した側面からの図面である。本発明の排泄物処理装置は、人体の腰臀部を包囲するおむつカップ本体（１０１）と、該おむつカップ本体（１０１）に接続するとともにその内部に洗浄水を送水する洗浄水送水口（１０５）と、前記おむつカップ本体（１０１）に接続するとともにその内部の洗浄水及び汚物を吸引する汚物吸引口（１０４）とを備えた排泄物処理装置を基本構造とする。該おむつカップ本体（１０１）（図中の番号表示なし：）は、人体の腹部・股部・臀部を包み込むものであって、おむつカップとして機能する部を意味する。
図１及び図２に示すように該おむつカップ本体（１０１）と腹部・股間部・臀部との接触する部分は、円柱状または半円柱状の超軟質高分子樹脂材による超軟質クッション（１１３）が該おむつカップ本体（１０１）の内側に形成してある。この超軟質クッションにより、腹部・股間部・臀部とおむつカップ本体との密着性が高まり、おむつカップから洗浄水及び汚物が流れ出すという問題が解消される。さらにこの超軟質クッションが肌に優しくフィットすることにより硬質合成樹脂に擦れて痣が出来るということを防止している。【００３３】
本願発明のおむつカップ本体（１０１）の腹部覆い部は、図１及び図３に示すように、蛇腹状カバー（１０２）と該蛇腹状カバー（１０２）の先端に設置したフロントカバー（１０３）を具備している。この蛇腹状カバーは、非常に成形が簡易であり製造コストが有利となる。該蛇腹状カバー（１０２）及び該フロントカバー（１０３）と腹部が接触する部分には前記の超軟質クッション（１１３）が装着されている。該蛇腹状カバー（１０２）は硬質の合成樹脂材からなるあばら状樹脂（１０２a）の部分と薄い皮膜状の合成樹脂材による皮膜（１０２b）によって構成された構造である。この蛇腹状カバー（１０２）部分は屈曲自在であり、フロントカバー（１０３）と腹部の曲線にフィットするとともに、超軟質クッション（１１３）により腹部に完全に密着し、洗浄水等の漏れを防止している。
また、該おむつカップ本体（１０１）は、図２−２に示すように、人体の足・腹・臀部と接触する部分に内部に高分子吸収材を挿入した水漏れ防止パッド（１３０）を粘着又は接着する構造を具備していてもよい。【００３４】
本願発明のおむつカップ本体は、局部洗浄用ノズル（１０８a）、（１０８b）、（１０８c）（図１）、カップ洗浄用ノズル（１０８d）、（１０８e）、（１０８f）（図５）、温風吹出し口（１０９a）、（１０９b）（図１）、楕円状の上層部（１２２ａ）と方形状の窪み（１２２）（下層部）をもつ二重底構造（図５）、臀部接触面二重湾曲（１２１）（図５）、大便感知センサ（１１０）（図１）、小便感知センサ（１１１）（図１）、マジックテープ（登録商標）のような固着テープ（１１２）（図１）の手段の少なくとも一を具備している。【００３５】
図１に示すように局部洗浄用ノズルは、個々人の様々な差異に対応するため、陰部用洗浄ノズル（１０８a）を１つ、肛門用洗浄ノズル（１０８b）、（１０８c）を２つ設置した。肛門の場合は確実に洗い流さないとトラブルの原因になるため、洗浄ノズルを２つ設け個人差に対応している。１つの温風吹出し口（１０９a）は、陰部用洗浄ノズル（１０８a）と肛門用洗浄ノズル（１０８b）との間に設置した。これは局部を乾燥させることは病人、要介護者にとって極めて大切であるので、前方から局部全体に温風をあて短時間に乾燥させることを可能にした。
なお、上記のそれぞれのノズルは洗浄送水口（１０５）及び温風送風口（１０６）と繋げる必要があるが、図４に示すように、配管ではなく合成樹脂材の中をくり貫いて形成した複数の通路のマニホード（１１５）によるものとしている。もう１つの温風吹出し口（１０９b）は、身体の臀部が接する最後尾の二重底（２段構造）の下層の最下部分に設置し、その上に設置したカップ洗浄用ノズル（１０８ｄ）とともに大便及び小便を強力に汚物吸引口に押し流す役割を果たす。さらにカップ洗浄用ノズル（１０８d）からは消臭剤入りの水が出されることが可能であり、大便及び小便のアンモニア臭、硫化水素臭を消し去り、後での消臭処理を不要のものとすることができる。
また、図５に示すようにおむつカップ本体（１０１）の底は、楕円状の上層部（１２２ａ）と方形状の窪み部（１２２）をもつ二重底構造（２段構造）になっているが、汚物を二重底の窪み部（１２２）（下層部底）に落とすことにより弱い吸引力でも確実に吸引出来る他、従来の感知では大便がセンサの上に乗らない場合には感知できなかった大便感知センサも近赤外線（１１０a）とフォトIC等の光センサ（１１０b）を活用することにより確実な感知が可能となっている。小便センサ（１１１）も同様確実な感知ができるようになっている。さらに臀部の接触面部分の二重湾曲（１２１）により臀部の大小の個人差にも対応できるばかりでなく、臀部の割れ目から洗浄水が背中に流れ込むことも防止できている。
なお、小便感知センサー（１１１）は、図１−２に示すように、該おむつカップ本体（１０１）の底面に、底面より僅かに高くなった部分に設置されている。
図１及び図２に示すマジックテープ（登録商標）（１１２a）は、図６に示す、おしめカバー側のマジックテープ（登録商標）（１１２b）と合わせることによりおむつカップ本体（１０１）をしっかり固定させると同時に、洗浄水等の横漏れを防いでいる。【００３６】
図４に示すように本願発明のホースユニット（１１９）は、おむつカップと接続するものであり、該ホースユニット（１１９）は、汚物吸引ホース（１１８）、２本の洗浄送水ホース（１１６a）、（１１６b）、温風送風ホース（１１７）を含み、これらを一括支持して一度に着脱できる。さらに、該ホースユニット（１１９）は、留め具(オス)（１２０a）を該おむつカップ本体（１０１）側の留め具(メス)（１２０b）に差し込むことにより、該おむつカップ本体（１０１）に固定する。なお、感知センサと電気的に繋がるセンサジョイント（１０７）の接続は、該ホースユニット（１１９）と一括して行うとトラブルが起きやすく別途単独で接続する。【００３７】
本発明の排泄物処理装置は、図７に示すように外部機器に接続している。例えば、汚物吸引口（１０４）は、汚物タンク及び汚物吸引ホース（１１８）を経由して汚物タンク（１３２）に接続し、さらにサイクロン装置（１３３）につながる。さらにサンクションモーター（１３４）から温風送風口（１０６）へ連動している。洗浄水送水口（１０５）（１０５a）（１０５b）は洗浄水送水ホース（１１６a：局部洗浄用）（１１６b：カップ洗浄用）を経てそれぞれ２つの給水ポンプ（１３６）を経由して温水洗浄タンク（１３５）に接続する。温風送風口（１０６）は温風送風ホース（１１７）を経てサンクションモーター（１３４）に接続する。大便感知センサ（１１０）及び小便感知センサ（１１１）からの電気信号を導出するためのセンサカプラ（１０７）はセンサージョイント（１０７）を経てセンサシグナルラインを経由してシーケンサ（１３７）に接続している。汚物タンク（１３２）は、図８に示すように、汚物吸引口（１４０）及び該排気口（１３９）に臭いを遮断するストッパー（１３８）を具備しており、該汚物タンク（１３２）の排気口（１３９）と該外部機器（１３１）の蓋（１４１）に設置された吸気口（１４２）とが該外部機器（１３１）の該蓋（１４１）を閉じたときに空気が漏れることなく完全にジョイントすると同時に該外部機器（１３１）の該蓋（１４１）の該吸気口（１４２）に設けられた支柱（１４３）により該ストッパー（１３８）（図８−２）が開き、空気が該汚物タンク（１３２）の該排気口（１３９）から該外部機器（１３１）の該蓋（１４１）の該吸気口（１４２）に流入する。サンクションモーター（１３４）と汚物タンク（１３２）と空気の連通が可能なサイクロン装置（１３３）は図９に示した。該汚物タンク（１３２）から吸引した湿った空気を該サイクロン装置（１３３）内の壁にぶつけることにより渦巻き流を起こし、空気中の水分を除去することが可能である。図中矢印は空気の流れを意味する。
又、本発明において、該外部機器（１３１）において、該おむつカップ（１０１）の温風送風口（１０６）にホースを通じて送り込む温風は、サクションモーター（１３４）からの排気またはファン（１４４）からヒーター（１４５）で一定の温度に暖められた温風を、一方から入った温風だけを通すよう自由に回転するセレクター（１４６）を具備するエアーセレクター（１４７）によって、交互に送り込むことを可能とする（図１０）。【００３８】
図５に示すように本願発明の腰板（１１４）は、内部に通気孔（１２３ｂ）が設けられており、温風送風口（１０６）からパイプを通じて腰板（１１４）の通気孔（１２３ｂ）に温風が入り、臀部及び腰部に接した面の空気穴（１２４）から温風が吹出す構造になっている。さらに臀部及び腰部と腰板（１１４）との間に図６の通気性のある腰マット（１２８）を敷き、外部機器から温風を定期的に流すことにより、病人等の肌を常に乾燥させ、病人等を床ずれから防止する。また、図５−２に示すように通気孔ｂの代わりに通気道（１２３a）を有する腰板（１１４）と臀部や腰部と接する間に通気性のある腰マット（１２８）を敷き、臀部や腰部に温風が流れる構造であってもよい。【００３９】
本願発明のおむつカバー（１２５）は、その中央に図６のような楕円状の穴（１２６）が開いており、その周辺にマジックテープ（登録商標）（１１２b）が配置してある。該おむつカバーの該マジックテープ（登録商標）（１１２b）と該おむつカップの該マジックテープ（登録商標）（１１２a）部分を互いに合わせ、留めることにより、該おむつカップを病人等の身体にしっかりフィットさせ、洗浄水等の横漏れを防止する。さらにおむつカバー（１２５）と該おむつカップ本体（１０１）を固定するために該おむつカップ本体（１０１）の腰板（１１４）をおむつカバー（１２５）に差し込む腰板入れ（１２７）及び腰マット（１２８）を入れる腰マット入れ（１２９）を具備している。
【産業上の利用可能性】
【００４０】
本発明の装置は、寝たきり等重度の要介護者または歩行不能な病人のための排泄物処理装置に関し、重度の要介護者等が寝たままの状態で排泄した場合、自動的に排泄物を処理し、汚れた局部を自動的に洗浄し、かつ乾燥する排泄物処理装置であり、介護用補助用具として有用である。
【図１−１】
2006046532.tif 000002
【図１−２】
2006046532.tif 000003
【図２−１】
2006046532.tif 000004
【図２−２】
2006046532.tif 000005
【図３】
2006046532.tif 000006
【図４】
2006046532.tif 000007
【図５−１】
2006046532.tif 000008
【図５−２】
2006046532.tif 000009
【図６】
2006046532.tif 000010
【図７】
2006046532.tif 000011
【図８−１】
2006046532.tif 000012
【図８−２】
2006046532.tif 000013
【図９】
2006046532.tif 000014
【図１０】
2006046532.tif 000015
【国際調査報告】
2006046532.tif 000016
2006046532.tif 000017
2006046532.tif 000018
2006046532.tif 000019